(57)【要約】【課題】光の熱エネルギーを蓄えることなく、建物等の空調ロスを低減させて省エネルギー化を図ることができるとともに、窓周辺における眩しさを抑えて周辺環境に与える悪影響を低減させることができる光拡散反射型窓を提供することを目的としている。【解決手段】複数のガラス板３，４からなる複層ガラス２を備える光拡散反射型窓１であって、ガラス板３，４の間に、入射光の一部又は全部を反射させるとともに出射光を拡散させる拡散反射体７が介在されている。【選択図】図１
2007247315.tif 000002
【特許請求の範囲】
【請求項１】
複数のガラス板からなる複層ガラスを備える光拡散反射型窓であって、
前記複数のガラス板の間に、入射光の一部又は全部を反射させるとともに出射光を拡散させる拡散反射体が介在されていることを特徴とする光拡散反射型窓。
【請求項２】
請求項１記載の光拡散反射型窓であって、
前記拡散反射体は、光を透過させる光透過性材料からなり、内部に光反射層が形成され、両側の外表面に凹凸状の光拡散面がそれぞれ形成された構成からなることを特徴とする光拡散反射型窓。
【請求項３】
請求項２記載の光拡散反射型窓であって、
前記拡散反射体は、何れか一方の表面に前記光反射層が形成された前記光透過性材料からなる光反射板を、外面に前記光拡散面が形成された前記光透過性材料からなる光拡散板で挟み込んで積層させた構成からなることを特徴とする光拡散反射型窓。
【請求項４】
請求項２記載の光拡散反射型窓であって、
前記拡散反射体は、外面に前記光拡散面が形成された前記光透過性材料からなる光拡散板と、内面に前記光反射層が形成されて外面に前記光拡散面が形成された前記光透過性材料からなる光拡散反射板とを積層させた構成からなることを特徴とする光拡散反射型窓。
【請求項５】
請求項１から４のいずれかに記載の光拡散反射型窓であって、
前記拡散反射体が前記ガラス板から離間されて配置されており、該ガラス板と拡散反射体との間に真空層が設けられていることを特徴とする光拡散反射型窓。
【請求項６】
請求項１から４のいずれかに記載の光拡散反射型窓であって、
前記拡散反射体と前記ガラス板とが接触状態で対向配置されていることを特徴とする光拡散反射型窓。
【発明の詳細な説明】
【技術分野】
【０００１】
本発明は、拡散反射型の窓に関する。
【背景技術】
【０００２】
例えば建物では、建物の外壁に設置された窓のガラス部分から入射される外光によって空調ロスが生じる。この空調ロスを解消するべく、従来、窓のガラス部分に熱吸収シートを貼り付ける技術が提案されている。この熱吸収シートを貼り付ける技術では、熱吸収シートにより外光の熱エネルギーが吸収され、建物内部の空調ロスを低減させることができる。また、空調ロスを解消する他の技術として、窓のガラス部分に光反射シートを貼り付けて当該ガラス部分を鏡状にする技術がある。この技術によれば、窓のガラス部分に入射される外光が光反射シートによって反射され、外光の熱エネルギーが外部に逃がされるため、建物内部の空調ロスを低減させることができる（例えば、特許文献１参照。）。
【特許文献１】特開２００３−１０６０６３号公報
【発明の開示】
【発明が解決しようとする課題】
【０００３】
しかしながら、上記した熱吸収シートを貼り付ける従来の技術では、外光の熱エネルギーが熱吸収シートに蓄えられてしまうため、空調ロスをより低減させるべく熱吸収効率の良い熱吸収シートを使用すると、窓のガラス部分が高熱となり、窓の内外の温度差によってガラス部分が破損する可能性があるという問題が存在する。したがって、熱吸収シートを貼り付ける従来の技術では、熱吸収効率の良い熱吸収シートを使用することができず、空調ロスを大幅に低減させることが難しい。
【０００４】
また、上記した光反射シートを貼り付ける従来の技術では、外光を直接反射させるため、建物外部では眩しくなり、建物の周辺環境に悪影響を与える可能性があるという問題が存在する。
【０００５】
本発明は上記した従来の問題が考慮されたものであり、光の熱エネルギーを蓄えることなく、建物等の空調ロスを低減させて省エネルギー化を図ることができるとともに、窓周辺における眩しさを抑えて周辺環境に与える悪影響を低減させることができる光拡散反射型窓を提供することを目的としている。
【課題を解決するための手段】
【０００６】
本発明に係る光拡散反射型窓は、複数のガラス板からなる複層ガラスを備える光拡散反射型窓であって、前記複数のガラス板の間に、入射光の一部又は全部を反射させるとともに出射光を拡散させる拡散反射体が介在されていることを特徴としている。
このような特徴により、例えば、外部側から光拡散反射型窓に照射された光（以下、外光と記す。）は、外部側のガラス板を透過して拡散反射体に入射され、その一部又は全部が拡散反射体で外部側に反射される。これにより、外光の熱エネルギーの一部又は全部が外部側に逃がされることになり、光拡散反射型窓に外光の熱エネルギーを蓄えることなく、外光による内部側の空調ロスを低減させることが可能であり、省エネルギー化を図ることができる。
また、拡散反射体から出射される光は拡散されるため、拡散反射体によって光が外部側に乱反射されることになる。このため、外部側における眩しさを抑えることができ、周辺環境に与える悪影響を低減させることができる。
また、拡散反射体を透過して内部側に出射される光は、拡散反射体によって拡散された状態になるため、内部側における眩しさが抑えられる。これにより、例えば昼間等に、窓にブラインド等の遮光部材を掛けて遮光する必要がなくなる。仮に、外光が眩しいときに遮光部材で遮光すると、内部側が暗くなるため、内部側の照明の照度を高くする必要があるが、遮光せずに眩しさを解消することで、内部側の照明を低い照度に設定することができ、省エネルギー化を図ることができる。
また、内部側から光拡散反射型窓に照射される照明光等（以下、単に照明光と記す。）は、内部側のガラス板を透過して拡散反射体に入射され、その一部又は全部が拡散反射体で内部側に反射される。これにより、内部側の照明の照度が低くても、光拡散反射型窓から反射される反射光によって、内部側の明るさを確保することができる。したがって、例えば夜間の照明の照度を低く設定することができ、省エネルギー化を図ることができる。
さらに、仮に、拡散反射体の反射面にキズが付いたり塵埃が付着したりすると反射率が低下することになり、上記した光拡散反射型窓の効果が薄れるが、本発明に係る光拡散反射型窓では、拡散反射体がガラス板で挟まれた構成になっているため、ガラス板により拡散反射体が保護され、光拡散反射型窓の効果を長期間維持させることができる。
【０００７】
また、本発明は、前記拡散反射体を、光を透過させる光透過性材料からなり、内部に光反射層が形成され、両側の外表面に凹凸状の光拡散面がそれぞれ形成された構成とすることができる。
これにより、拡散反射体に入射された光の一部又は全部を反射層で反射させるとともに拡散反射体から出射される光を光拡散面で拡散させることができる。
【０００８】
また、本発明は、前記拡散反射体が、何れか一方の表面に前記光反射層が形成された前記光透過性材料からなる光反射板を、外面に前記光拡散面が形成された前記光透過性材料からなる光拡散板で挟み込んで積層させた構成としてもよい。
仮に、拡散反射体が、光透過性材料からなる板材の内部に光反射層を埋設させた構成からなると、その板材の成形時に光反射層を形成させる必要があり、その製作に相当の手間がかかるが、上記した本発明の構成によれば、３つの板材（光反射板、光拡散板）を積層させるだけで上記した拡散反射体が形成されるため、拡散反射体を簡単に形成することができる。
【０００９】
また、本発明は、前記拡散反射体が、外面に前記光拡散面が形成された前記光透過性材料からなる光拡散板と、内面に前記光反射層が形成されて外面に前記光拡散面が形成された前記光透過性材料からなる光拡散反射板とを積層させた構成としてもよい。
このような構成により、２つの板材（光拡散板、光拡散反射板）を積層させるだけで上記した拡散反射体が形成されるため、拡散反射体を簡単に形成することができるとともに、薄型の拡散反射体を形成することができる。
【００１０】
また、本発明は、前記拡散反射体が前記ガラス板から離間されて配置され、該ガラス板と拡散反射体との間に真空層が設けられた構成としてもよい。
このように、真空層を設けることで、光拡散反射型窓の断熱性能や防音性能を向上させることができる。
【００１１】
また、本発明は、前記拡散反射体と前記ガラス板とが接触状態で対向配置された構成としてもよい。
このように、拡散反射体とガラス板とを接触させることで、反射率が増大して効率を向上させることができるとともに、光拡散反射型窓を薄型にすることができる。
【発明を実施するための最良の形態】
【００１２】
以下、本発明に係る光拡散反射型窓の第一、第二、第三の実施の形態について、図面に基いて説明する。
［第一の実施の形態］
まず、本発明の第一の実施の形態について説明する。
図１は第一の実施の形態における光拡散反射型窓１の断面図である。
図１に示すように、第一の実施の形態における光拡散反射型窓１は、複数（本実施の形態では２枚）のガラス板３，４からなる複層ガラス２を備える窓であり、アタッチメント５を介して前記複層ガラス２を窓枠（サッシ６）に組み入れた構成からなる。
【００１３】
上記したサッシ６は、例えば建物の外壁等に設けられるアルミニウム製やスチール製、ステンレス製、木製、樹脂製等の矩形状の枠体であり、一般サッシのほかに、防音サッシや断熱サッシ等の特殊サッシを用いることができる。サッシ６の内周面には、ガラス等（本実施の形態ではアタッチメント５）を嵌合させるための嵌合溝６ａがサッシ６の内周に沿って形成されている。
【００１４】
アタッチメント５は、複層ガラス２をサッシ６に固定するための部材である。アタッチメント５は、複層ガラス２の外縁部が嵌め込まれるガラス取付部５ａと、サッシ６の嵌合溝６ａに嵌め込まれるサッシ取付部５ｂとから構成されており、複層ガラス２の外縁部に取り付けられるとともにサッシ６の内側に取り付けられている。また、アタッチメント５は、複層ガラス２の外周（サッシ６の内周）に沿って複層ガラス２の外縁部全周に亘って設けられており、矩形枠状に形成されている。
【００１５】
複層ガラス２は、外部側（図１における左側）に配設された第一のガラス板３と、内部側（図１における右側）に第一のガラス板３と平行に配設された第二のガラス板４と、第一、第二のガラス板３，４間に介在された板状の拡散反射体７とから構成されている。拡散反射体７は、第一のガラス板３や第二のガラス板４と略同形状の板状部材であり、第一のガラス板３と拡散反射体７、及び拡散反射体７と第二のガラス板４とは、それぞれ離間された状態（非接触状態）で互いに対向させて配置されている。このとき、第一のガラス板３と拡散反射体７との間、及び拡散反射体７と第二のガラス板４との間に、図示せぬスペーサーを介在させることが好ましく、例えば、第一，第二のガラス板３，４の内面や拡散反射体７の表面にスペーサーとなる突起を形成してもよい。これによって、第一のガラス板３と拡散反射体７、及び拡散反射体７と第二のガラス板４とを所定間隔に保つことができる。
【００１６】
また、第一のガラス板３と拡散反射体７との間、及び拡散反射体７と第二のガラス板４との間には、第一、第二のガラス板３，４や拡散反射体７の外縁に沿って環状に形成されたシール材８，９がそれぞれ介在されている。このシール材８，９は、第一、第二のガラス板３，４や拡散反射体７にそれぞれ密着されており、このシール材８と第一のガラス板３と拡散反射体７とで囲まれた空間、及びシール材９と拡散反射体７と第二のガラス板４とで囲まれた空間は、それぞれ密閉されている。これら密閉された空間は、それぞれ空気が抜かれて真空状態になっており、つまり、第一のガラス板３と拡散反射体７との間、及び拡散反射体７と第二のガラス板４との間には、真空層Ａ１，Ａ２がそれぞれ設けられている。
【００１７】
図２は第一の実施の形態における拡散反射体７の拡大断面図である。なお、図２における左側が外部側であり、図２における右側が内部側である。
図２に示すように、拡散反射体７は、入射光の一部又は全部を反射させるとともに出射光を拡散させるものであり、その構成は、光を透過させる光透過性材料からなり、内部に光反射層１０が形成され、外部側及び内部側の表面（外表面）のうち、シール材８，９内側領域の全体に凹凸状の光拡散面１１，１２がそれぞれ形成された構成になっている。光透過性材料としては、例えばＰＥＴ（polyethylene terephthalate）やアクリル樹脂、ガラス等を用いることができる。
【００１８】
拡散反射体７の具体的構成としては、光反射層１０を有する光反射板１５を、光拡散面１１，１２を有する第一，第二の光拡散板１３，１４で挟み込んで積層させた構成からなる。つまり、拡散反射体７は、第一，第二の光拡散板１３，１４の間に光反射板１５を挟み込むとともに、第一，第二の光拡散板１３，１４の光拡散面１１，１２を外向きにして第一，第二の光拡散板１３，１４と上記した光反射板１５とを積層させた構成からなる。
【００１９】
第一，第二の光拡散板１３，１４は、光透過性材料からなる板状の部材であり、その一方の面（外面）に光拡散面１１，１２が形成されたものである。光拡散面１１，１２は、第一，第二の光拡散板１３，１４内から外に出射する光を拡散させる凹凸状の面であり、板材の表面をエッチング等で荒らすことで形成される。第一，第二の光拡散板１３，１４の他方の面（内面）は、平らに形成されており、光反射板１５の表面に重ね合わせられている。
【００２０】
光反射板１５は、第一，第二の光拡散板１３，１４と同形状の板状の光透過性材料からなる部材であり、その何れか一方（本実施の形態では外部側）の表面に光反射層１０が形成されたものである。光反射層１０は、照射された光の一部又は全部を反射させる層であり、光反射板１５の板状基材１５ａの表面に金属膜を蒸着させることで形成される。なお、光反射層１０の反射率（透過率）は、光反射層１０の厚さを調整することで調整可能であり、例えば、光反射層１０の厚さ薄くすることで、透過率を増大（反射率を減少）させることができる。
【００２１】
上記した構成からなる光拡散反射型窓１によれば、第一，第二のガラス板３，４の間に、入射光の一部又は全部を反射させるとともに出射光を拡散させる拡散反射体７が介在された構成となっているため、外部側から照射される外光は、第一のガラス板３を透過して拡散反射体７に入射され、その一部又は全部が拡散反射体７で外部側に反射される。これにより、外光の熱エネルギーの一部又は全部が外部側に逃がされることになり、光拡散反射型窓１に外光の熱エネルギーを蓄えることなく、外光による内部側の空調ロスを低減させることが可能であり、省エネルギー化を図ることができる。
【００２２】
また、拡散反射体７から出射される光は拡散されるため、拡散反射体７によって光が外部側に乱反射されることになる。このため、外部側における眩しさを抑えることができ、周辺環境に与える悪影響を低減させることができる。
また、拡散反射体７を透過して内部側に出射される光は、拡散反射体７によって拡散された状態になるため、内部側における眩しさが抑えられる。これにより、例えば昼間等に、窓にブラインド等の遮光部材を掛けて遮光する必要がなくなる。このように、遮光せずに眩しさを解消することで、内部側の照明を低い照度に設定することができ、省エネルギー化を図ることができる。
【００２３】
一方、内部側から光拡散反射型窓１に照射される照明光は、第二のガラス板４を透過して拡散反射体７に入射され、その一部又は全部が拡散反射体７で内部側に反射される。これにより、内部側の照明の照度が低くても、光拡散反射型窓１から反射される反射光によって、内部側の明るさを確保することができる。したがって、例えば夜間の照明の照度を低く設定することができ、省エネルギー化を図ることができる。
【００２４】
さらに、拡散反射体７は、第一のガラス板３と第二のガラス板４との間に介在されており、つまり、拡散反射体７が第一，第二のガラス板３，４で挟まれた構成になっているため、拡散反射体７が第一，第二のガラス板３，４で保護された状態となる。これにより、拡散反射体７にキズが付いたり、塵埃が付着したりすることを防止することができ、光拡散反射型窓１の効果を長期間維持させることができる。
【００２５】
また、上記した構成からなる光拡散反射型窓１によれば、拡散反射体７が、光を透過させる光透過性材料からなり、内部に光反射層１０が形成され、両側の表面に凹凸状の光拡散面１１，１２がそれぞれ形成された構成となっているため、拡散反射体７に入射された光の一部又は全部を光反射層１０で反射させるとともに拡散反射体７から出射される光を光拡散面１１，１２で拡散させることができる。これによって、上記した光拡散反射型窓１を実現することができる。
【００２６】
また、上記した構成からなる光拡散反射型窓１によれば、拡散反射体７が、一方の表面に光反射層１０が形成された光透過性材料からなる光反射板１５を、外面に光拡散面１１，１２が形成された光透過性材料からなる第一，第二の光拡散板１３，１４で挟み込んで積層させた構成となっているため、光反射板１５と第一の光拡散板１３と第二の光拡散板１４とを積層させるだけで上記した拡散反射体７が形成される。よって、拡散反射体７を簡単に形成することができる。
【００２７】
また、上記した構成からなる光拡散反射型窓１によれば、拡散反射体７が第１のガラス板３や第二のガラス板４からそれぞれ離間させて配置されており、第１のガラス板３と拡散反射体７との間、及び拡散反射体７と第二のガラス板４との間に、真空層Ａ１，Ａ２がそれぞれ設けられているため、この真空層Ａ１，Ａ２によって光拡散反射型窓１の断熱性能や防音性能を向上させることができる。
［第二の実施の形態］
次に、本発明の第二の実施の形態について説明する。なお、第二の実施の形態は、第一の実施の形態における３層構造（第一の光拡散板１３、光反射板１５、第二の光拡散板１４）の拡散反射体７を２層構造の拡散反射体７´に置き換えるものであり、その他の構成は第一の実施の形態と同様である。したがって、下記する第二の実施の形態では、第一の実施の形態と同様の構成については同一の符号を付してその説明を適宜省略する。
【００２８】
図３は第二の実施の形態における拡散反射体７´の拡大断面図である。なお、図３における左側が外部側であり、図３における右側が内部側である。
図３に示すように、拡散反射体７´の具体的構成としては、光拡散面１１を有する光拡散板１３´と、光反射層１０及び光拡散面１２をそれぞれ有する光拡散反射板１４´とを積層させた構成からなる。つまり、拡散反射体７´は、光拡散面１１，１２を外向きにして光拡散板１３´と光拡散反射板１４´とを重ね合わせ、光拡散板１３´と光拡散反射板１４´との間に光反射層１０を介在させた構成からなる。
【００２９】
光拡散板１３´は、光透過性材料からなる板状の部材であり、その一方の面（外面）にエッチング等で荒らして形成された凹凸状の光拡散面１１が形成されたものである。
光拡散反射板１４´は、光透過性材料からなる板状の部材であり、その一方の面（内面）に金属膜を蒸着させることで光反射層１０がされ、その他方の面（外面）にエッチング等で荒らして形成された凹凸状の光拡散面１２が形成されたものである。
【００３０】
上記した構成からなる光拡散反射型窓１によれば、拡散反射体７´が、外面に光拡散面１１が形成された光透過性材料からなる光拡散板１３´と、内面に光反射層１０が形成されて外面に光拡散面１２が形成された光透過性材料からなる光拡散反射板１４´とを積層させた構成となっているため、光拡散板１３´と光拡散反射板１４´とを積層させるだけで拡散反射体７´を形成することができる。これによって、拡散反射体７´を簡単に形成することができるとともに、薄型の拡散反射体７´を形成することができる。
【００３１】
［第三の実施の形態］
次に、本発明の第三の実施の形態について説明する。なお、第三の実施の形態は、第一の実施の形態における真空層Ａ１，Ａ２を設けずに第１のガラス板３と第二のガラス板４とを接触させたものであり、その他の構成は第一の実施の形態と同様である。したがって、下記する第三の実施の形態では、第一，第二の実施の形態と同様の構成については同一の符号を付してその説明を適宜省略する。
【００３２】
図４は第三の実施の形態における光拡散反射型窓１の断面図である。
図４に示すように、複層ガラス２´は、第一のガラス板３と拡散反射体７（７´）、及び拡散反射体７（７´）と第二のガラス板４とは、それぞれ互いに重ね合わされて接触された状態（接触状態）で対向配置されている。また、この複層ガラス２´は、ゴム等からなるガスケット８´を介してアタッチメント５のガラス取付部５ａに取り付けられており、このガスケット８´によって複層ガラス２´はサッシ６（アタッチメント５）の内側に保持されている。
【００３３】
上記した構成からなる光拡散反射型窓１によれば、拡散反射体７（７´）と第一，第二のガラス板３，４とがそれぞれ接触状態で対向配置された構成となっているため、拡散反射体７（７´）と第一，第二のガラス板３，４とが接触されていることで、反射率が増大して効率を向上させることができるとともに、光拡散反射型窓１を薄型にすることができる。
【００３４】
以上、本発明に係る光拡散反射型窓の実施の形態について説明したが、本発明は上記した実施の形態に限定されるものではなく、その趣旨を逸脱しない範囲で適宜変更可能である。例えば、上記した実施の形態では、拡散反射体７（７´）が、光を透過させる光透過性材料からなり、内部に光反射層１０が形成され、両側の表面に凹凸状の光拡散面１１，１２がそれぞれ形成された構成からなっているが、本発明に係る拡散反射体は、これに限定されるものではなく、他の構成からなる拡散反射体であってもよい。例えば、受けた光を乱反射させる乱反射面を有する拡散反射体であってもよい。
【００３５】
また、上記した実施の形態では、拡散反射体７，７´が、３つの板材（光反射板１５、第一の光拡散板１３、第二の光拡散板１４）や２つの板材（光拡散板１３´、光拡散反射板１４´）を積層させる構成からなるが、本発明は、これに限定されるものではなく、例えば、光透過性材料からなる板材の内部に光反射層となる金属膜を埋設させた構成であってもよい。
【００３６】
また、上記した実施の形態では、拡散反射体７，７´が、第１のガラス板３や第二のガラス板４に対向配置された板状の部材であるが、本発明は、これに限定されるものではなく、例えば、帯状の拡散反射体を複数連続的に設けてブラインド状に配設してもよい。
【００３７】
また、上記した第一の実施の形態では、第一のガラス板３と拡散反射体７との間、拡散反射体７と第二のガラス板４との間にそれぞれ真空層Ａ１，Ａ２を設けているが、本発明は、拡散反射体の一方側にのみ真空層を設け、他方側には乾燥空気やその他のガス等が充填された空気層を設けてもよく、或いは、両方側とも真空層Ａ１，Ａ２に換えて空気層を設けてもよい。
【００３８】
また、上記した第一の実施の形態では、第一のガラス板３と拡散反射体７、拡散反射体７と第二のガラス板４とがそれぞれ離間させて配置されており、第三の実施の形態では、第一のガラス板３と拡散反射体７、拡散反射体７と第二のガラス板４とがそれぞれ互いに接触されて配置されているが、本発明は、拡散反射体の一方側のみガラス板と離間させて真空層や空気層を設け、拡散反射体の他方側をガラス板に接触状態にしてもよい。
【００３９】
また、上記した実施の形態では、２枚のガラス板３，４を対向配置し、その中に拡散反射体７，７´を一枚だけ介在させた構成になっているが、本発明は、３枚以上のガラス板を対向配置させた構成であってもよく、また、２枚以上の拡散反射体が備えられた構成であってもよい。例えば、２枚のガラス板の間に２枚以上の拡散反射体を介在させてもよく、また、３枚以上並べられたガラス板のそれぞれの間に１枚以上の拡散反射体を介在させてもよい。
【００４０】
また、上記した実施の形態では、拡散反射体７の両側の表面のうち、シール材８，９の内側領域の全体に凹凸状の光拡散面１１，１２が形成されているが、本発明は、シール材の内側領域のうちの一部に、凹凸状の光拡散面が形成されていない箇所を設けて、この箇所を鏡状に形成することもできる。
【００４１】
また、上記した実施の形態では、複層ガラス２がアタッチメント５を介してサッシ６に取り付けられているが、本発明は、複層ガラスが直接サッシに取り付けられるものでもよく、例えば、図１に示すサッシ６の嵌合溝６ａに複層ガラス２の外縁部が直接嵌め込まれて固定されていてもよい。また、サッシ６やアタッチメント５、シール材８，９やガスケット８´の形状は上記した実施の形態のものに限定されるものではなく、公知のものに適宜置き換えることができる。
【００４２】
さらに、上記した実施の形態では、建物の外壁に設置された光拡散反射型窓１について説明しているが、本発明の光拡散反射型窓は、建物の天井や床に設置される窓として使用してもよく、或いは、ガラスドームや全面ガラス張りの建物の外壁材として使用してもよい。さらに、本発明の光拡散反射型窓は、建築物に使用されるものに限定されず、例えば、自動車や船、鉄道、飛行機等の乗り物の窓として使用してもよく、或いは、装置や設備機器等に設けられる窓として使用してもよい。
【００４３】
その他、本発明の主旨を逸脱しない範囲で、上記した実施の形態における構成を公知の構成に置き換えることは可能であり、また、上記した第一、第二、第三の実施の形態や上記した変形例を適宜組み合わせることは可能である。
【図面の簡単な説明】
【００４４】
【図１】本発明に係る第１の実施の形態を説明するための光拡散反射型窓の断面図である。
【図２】本発明に係る第１の実施の形態を説明するための拡散反射体の断面図である。
【図３】本発明に係る第２の実施の形態を説明するための拡散反射体の断面図である。
【図４】本発明に係る第３の実施の形態を説明するための光拡散反射型窓の断面図である。
【符号の説明】
【００４５】
１  光拡散反射型窓
２  複層ガラス
３  第一のガラス板（ガラス板）
４  第二のガラス板（ガラス板）
７，７´  拡散反射体
１０  光反射層
１１，１２  光拡散面
１３  第一の光拡散板（光拡散板）
１３´  光拡散板
１４  第二の光拡散板（光拡散板）
１４´  光拡散反射板
１５  光反射板
Ａ１，Ａ２真空層
【図１】
2007247315.tif 000003
【図２】
2007247315.tif 000004
【図３】
2007247315.tif 000005
【図４】
2007247315.tif 000006